(57)【要約】【課題】  トレー等の食材容器において、関連食材の買い忘れを防止するためなどに使用され、食材を入れた状態で確実に目視可能な表示部を有する食材容器の提供。【解決手段】  トレー基材の表面に熱可塑性樹脂フィルムが積層されたトレー２を含む食材容器であって、少なくともトレーの側壁部に、表示部４が複数設けられたことを特徴とする食材容器１。表示部はトレーに入れる食材と関連して使用される関連食材の文字情報を含むことが好ましい。【選択図】  図１
2005153918.tif 000002
【特許請求の範囲】
【請求項１】
トレー基材の表面に熱可塑性樹脂フィルムが積層されたトレーを含む食材容器であって、少なくともトレーの側壁部に、表示部が単数又は複数設けられたことを特徴とする食材容器。
【請求項２】
トレー基材の内側に熱可塑性樹脂フィルムが積層され、この熱可塑性樹脂フィルムに表示部が設けられた請求項１に記載の食材容器。
【請求項３】
表示部が帯状表示部であることを特徴とする請求項１又は２に記載の食材容器。
【請求項４】
トレー基材が熱可塑性樹脂発泡体であることを特徴とする請求項１〜３のいずれかに記載の食材容器。
【請求項５】
熱可塑性樹脂フィルムがトレー基材に対し剥離可能に積層されている請求項１〜４のいずれかに記載の食材容器。
【請求項６】
表示部が、トレーに入れる食材と関連して使用される関連食材の文字情報を含む請求項１〜５のいずれかに記載の食材容器。
【請求項７】
中身を目視可能にトレーの開口に取り付けられる合成樹脂製の透明上蓋を備えた請求項１〜６のいずれかに記載の食材容器。
【発明の詳細な説明】
【技術分野】
【０００１】
本発明は、肉、魚などの食材を入れ、陳列、販売するために使用され、包装した食材と関連する食材名や調理のアドバイス、宣伝などの表示を有する食材容器に関する。
【背景技術】
【０００２】
従来、広告を表示する食品容器としては、例えば、弁当容器の一部に、その弁当の製造業者や販売業者以外の第三者の広告または広報を記載した広告・広報部を弁当容器の外側に設けた弁当容器が提案されている（例えば、特許文献１参照。）。
また、商品を充填包装した包装容器の外面に、該商品を表示する商品名、商標名、製造者、販売者、商品説明等の商品を表示する文字、図形、記号、絵柄等からなる印刷画像表示部を形成すると共に、該印刷画像表示部以外の領域に、該包装容器内に充填包装された商品と全く無関係の他の商品を広告宣伝する文字、図形、記号、絵柄等からなる印刷画像表示部を形成した広告宣伝媒体が提案されている（例えば、特許文献２参照。）。
【０００３】
ところで、各種の食品容器の中でも、生の肉、魚介類、漬物や煮物などの水分の多い加工食品、惣菜、痛みやすい果実などの包装用資材としては、合成樹脂発泡シート製のトレーや、このトレーに透明な上蓋を取り付けた食材容器が多用されている。これらの食材容器は一般に、トレーに肉、魚などの食材を入れ、透明な合成樹脂フィルムでラッピングして簡易包装したり、食材を入れたトレーの開口を塞ぐ透明上蓋を取り付けて陳列・販売に供される。また、この種の食材容器として、トレー基材の表面に剥離可能な合成樹脂フィルムを設け、食材が接した合成樹脂フィルムをトレー基材から剥離して廃棄し、トレー基材を容易に回収・再利用できるようにしたトレーが提案されている（例えば、特許文献３、４参照）。その他、積層フィルムを用いた容器としては、例えば特許文献５，６が提案されている。なお、特許文献３〜６に記載された従来技術には、トレーに広告宣伝用の表示を設けることについては記載されていない。
【特許文献１】実用新案登録第３０７３２５６号公報
【特許文献２】特開平１０−２６８８１７号公報
【特許文献３】実開平４−１１１４２９号公報
【特許文献４】特開２００２−１８７２４１号公報
【特許文献５】特開平７−１０８６３７号公報
【特許文献６】特開２００２−１２０３３８号公報
【発明の開示】
【発明が解決しようとする課題】
【０００４】
前記特許文献１に記載されている弁当の容器は、弁当容器の外側に広告・宣伝部を設けたものなので、湿気や弁当内容物の油染みによって汚れやすく、また広告・宣伝部を大きくすると中身の弁当が見え難くなるので大きな表示をすることができず注目度が低い問題があった。また、その広告・広報部の表示内容が、弁当の製造業者や販売業者以外の第三者の広告または広報を記載したものなので、これを食材容器に転用しても、その食材（肉や魚の切り身など）を調理するための関連食材の買い忘れ防止効果がない。ここで、関連食材とは、後で詳細に記すが、例えば食材として肉や魚などの切り身やブロックをトレーに入れて包装・販売する場合、その食材を調理する場合に用いる他の食材や調味料などである。
【０００５】
また特許文献２に記載されている広告宣伝媒体は、商品を充填包装した袋の外面に印刷画像表示部を設けたものであり、トレー等の食材容器とは包装形態が異なる。またこの広告宣伝媒体は、包装容器内に充填された商品とは全く無関係の他の商品を広告宣伝する印刷画像表示部を設けるものなので、前述した関連食材の買い忘れ防止効果が得られない。さらに、トレー等の食材容器では、トレーの裏面に表示部を設けても消費者の注目が得られず、また仮にトレーの内面中央に表示部を設けたとしても、トレーに食材を入れると、この表示部が覆われて広告宣伝効果が全く得られない問題を生じる。
【０００６】
本発明は前記事情に鑑みてなされ、トレー等の食材容器において、関連食材の買い忘れを防止するためなどに使用され、食材を入れた状態で確実に目視可能な表示部を有する食材容器の提供を目的とする。
【課題を解決するための手段】
【０００７】
前記目的を達成するため、本発明は、トレー基材の表面に熱可塑性樹脂フィルムが積層されたトレーを含む食材容器であって、少なくともトレーの側壁部に、表示部が単数又は複数設けられたことを特徴とする食材容器を提供する。
本発明の食材容器において、トレー基材の内側に熱可塑性樹脂フィルムが積層され、この熱可塑性樹脂フィルムに表示部が設けられた構成とするのが好ましい。
また、表示部が帯状表示部であることが好ましい。さらに、トレー基材が熱可塑性樹脂発泡体であることが好ましい。
本発明の食材容器において、熱可塑性樹脂フィルムがトレー基材に対し剥離可能に積層されている構成とするのが好ましい。
また、表示部が、トレーに入れる食材と関連して使用される関連食材の文字情報を含むことが好ましい。
本発明の食材容器において、中身を目視可能にトレーの開口に取り付けられる合成樹脂製の透明上蓋を備えた構成とすることもできる。
【発明の効果】
【０００８】
本発明の食材容器は、少なくともトレーの側壁部に表示部を単数又は複数設けた構成としたので、トレーに食材を入れた状態であっても、消費者が側壁部の単数又は複数の表示部を明瞭に目視可能となり、トレーを含む食材容器において広告宣伝効果を高めることができる。
また、トレー基材の内側に熱可塑性樹脂フィルムが積層され、この熱可塑性樹脂フィルムに表示部が設けられた構成としたことによって、表示部は防水性が良好となり、トレー内に水滴等があっても表示部が濡れたり、汚れたりせず、明瞭に目視可能なものとなる。
また、熱可塑性樹脂フィルムがトレー基材に対し剥離可能に積層されている構成としたことにより、食材利用後、熱可塑性樹脂フィルムをトレー基材から剥離し、食材と接していないトレー基材を洗浄せずに回収することができ、資源回収を行う際の利便性が高い。
また、表示部をトレーに入れる食材と関連して使用される関連食材の文字情報を含むものとすることで、その食材を調理するための関連食材の買い忘れ防止効果を得ることができる。
【発明を実施するための最良の形態】
【０００９】
以下、図面を参照して本発明の一実施形態を説明する。
図１及び図２は本発明の食材容器の第１実施形態を示す図であり、図１は食材容器１の斜視図、図２は食材容器１の一部断面視した要部側面図である。
【００１０】
本例示において食材容器１は、トレー基材９の表面に熱可塑性樹脂フィルム１０が積層されたトレー２を備え、このトレー２の側壁部８内面側を含む内面全域に、表示部４が複数設けられた構成になっている。また、本例示において、トレー２には、肉や魚の切り身のような食材３を入れ、上部開口を合成樹脂フィルムからなるラッピングフィルム５で包んで簡易包装されている。このラッピングフィルム５には、食材３の商品名、原産地などの表示やバーコードを表示したラベル６が貼着されている。
【００１１】
前記表示部４としては、繰り返し表示の表示部とするのが好ましく、より具体的には帯状表示部とするのがより好ましい。こうすることで側壁部に単数又は複数の表示部を確実に表示することができる。
前記トレー基材９としては、熱可塑性樹脂発泡シートからなる発泡トレー、熱可塑性樹脂シートからなる非発泡トレー、紙製トレー、熱可塑性樹脂シートと紙との積層シートからなる複合材トレーなどが挙げられ、その中でも発泡トレーが好ましい。熱可塑性樹脂としては、ポリスチレン系樹脂、ポリエチレン系樹脂、ポリプロピレン系樹脂、ポリエチレンテレフタレート系樹脂などの各種の熱可塑性樹脂を使用でき、特にポリスチレン系樹脂が好ましい。ポリスチレン系樹脂としてはスチレン、メチルスチレン、エチルスチレン、イソプロピルスチレン、ジメチルスチレン、パラメチルスチレン、クロロスチレン、ブロモスチレン、ビニルトルエン、ビニルキシレンの単独重合体又は共重合体、例えば樹脂としてはスチレン−無水マレイン酸共重合体、スチレン・アクリル酸共重合体、ハイインパクトポリスチレン、スチレン・アクリロニトリル樹脂、アクリロニトリル・ブタジエン−スチレン樹脂等が使用できる。特にポリスチレン樹脂が好ましい。
【００１２】
トレー基材９として発泡トレーを用いる場合、発泡トレーの発泡倍率は１．５〜２０倍程度が好ましい。この発泡トレーを形成するに当たっては、樹脂中には通常使用されている配合剤、例えば気泡調整剤、顔料等を添加しても良い。この発泡トレーの原反厚みについては特に規定はないが、通常トレー状容器を作製するのに適した厚みを有していればよい。
【００１３】
前記トレー基材９の表面に積層される熱可塑性樹脂フィルム１０としては、ポリスチレン系合成樹脂、ハイインパクトポリスチレン樹脂、それらの混合物、線状低密度ポリエチレン、高密度ポリエチレン、低密度ポリエチレン、プロピレンホモポリマー、エチレン・プロピレンランダムポリマー、エチレン・プロピレンブロックポリマー、エチレン・プロピレン−ブテン−ターポリマー、エチレン−酢酸ビニル共重合体、エチレン−不飽和カルボン酸エステル共重合体（例えば、エチレン−メチルメタクリレート共重合体）、エチレン−不飽和カルボン酸金属塩共重合体（例えば、エチレン−アクリル酸マグネシウム（又は亜鉛）共重合体）、プロピレン−塩化ビニルコポリマー、プロピレン−ブテンコポリマー、プロピレン−無水マレイン酸コポリマー、プロピレン−オレフィン共重合体（プロピレン−エチレン共重合体、プロピレン−ブテン−１共重合体）ポリエチレン又はポリプロピレンの不飽和カルボン酸（例えば、無水マレイン酸）変性物、エチレン−プロピレンゴム、アタクチックポリプロピレン、ポリエチレンテレフタレート、ポリブチレンテレフタレート等の熱可塑性樹脂フィルムが挙げられる。熱可塑性樹脂フィルム１０の厚みはこれに限定されないが、１０〜１００μｍであるのが好ましい。
【００１４】
その他の熱可塑性樹脂フィルム１０としては、生分解性樹脂フィルムが挙げられる。生分解性樹脂フィルムとしては、従来公知の種々の、生分解性を有する樹脂で形成されたフィルムがいずれも使用可能である。かかる生分解性を有する樹脂としては、例えば３−ヒドロキシ酪酸と３−ヒドロキシ吉草酸との直鎖状ポリエステル（ＩＣＩ社製の商品名バイオポールなど）、ポリエーテル、ポリアクリル酸、エチレン・一酸化炭素共重合体、脂肪族ポリエステル・ポリアミド共重合体、脂肪族ポリエステル・ポリオレフィン共重合体、脂肪族ポリエステル・芳香族ポリエステル共重合体（ＢＡＳＦ社製の商品名エコフレックスなど）、脂肪族ポリエステル・ポリエーテル共重合体、澱粉と変性ポリビニルアルコールとのポリマーアロイ（ノバモント社製の商品名マタービーなど）、澱粉とポリエチレンのポリマーアロイ（アンパセット社製の商品名ポリグレードIIなど）、コハク酸エステル（昭和高分子株式会社製の商品名ビオノーレなど）、ポリ乳酸（フィルム状のものが、株式会社島津製作所製の商品名ラクテイシリーズとして提供されている）等が挙げられる。
【００１５】
前記トレー２は、各角部が丸められた略長方形状をなす底板部７と、その周縁から斜め上方に向けて漸次拡張する筒状をなす側壁部８とからなっている。なお、本例示では、前記トレー基材９の内側のみに熱可塑性樹脂フィルム１０が積層された構成としたが、トレー基材９の内外面両方に又は外面のみに熱可塑性樹脂フィルム１０を積層しても良い。また、トレー２の形状は本例示に限定されず、長方形以外の多角形、円形、楕円形、長円形などの各種の形状とすることができる。
【００１６】
前記表示部４は、本例示ではトレー２の内面側に長手方向（又は幅方向）に対して斜めに延びる帯状の帯状表示部をなし、所定間隔をおいて複数本設けられている。なお、表示部４の形成方向は本例示に限定されることなく、長手方向又は幅方向に対して平行であってもよい。また帯状表示部とした場合の幅、形成個数及び色は、トレーの寸法や色に応じて適宜選択できるが、通常は幅が５〜３０ｍｍ、形成個数が２〜３０個程度の範囲とされる。帯状表示部とすることで、食材容器の側壁部に確実に表示することができる。
【００１７】
この表示部４は、連続印刷法等により熱可塑性樹脂フィルムに印刷した後、これを熱可塑性発泡樹脂シートに接着し、得られた積層シートをトレー形状に成形する方法を用いて製造することができる。積層シートに印刷した後トレー形状に成形する方法、積層シートをトレー形状に成形後に印刷する方法を用いて製造することもできる。この表示部４は、少なくとも側壁部内側に単数又は複数個設けてあるので、トレー２に食材３を入れた状態でも、必ず１つ以上の表示が目視可能になっている。複数個設けてあれば、目視がより確実となる。
【００１８】
この表示部４に表示する内容は、特に限定されず、文字、数字、記号、商標、マーク、模様などをそれぞれ単独で、又は組み合わせて表示することができる。また、複数個の表示部４の場合は、それぞれが同じ表示内容であっても良いし、２種類以上の表示内容を交互に設けることもできる。この表示部４の表示内容は、例えば、食材３と無関係な広告・宣伝表示、懸賞表示などの他、トレー内に入れる食材３を調理する際に用いる関連食材を表示することができる。さらに、その食材３の調理に役立つアドバイスなどの文字情報を入れることもできる。
【００１９】
この関連食材としては、トレー２に入れる食材３によって変更されるが、例えば、食材３が肉の切り身の場合、調味料（焼き肉のたれ、ステーキのたれ、すき焼きのたれ、しゃぶしゃぶのたれ、塩、コショウ等の香辛料、乳製品、カレーやシチューのルウなど）、豆腐、ネギなどの野菜、付け合わせの具（しらたきなど）、食用油などが挙げられる。また食材３が魚の切り身やエビなどの魚介類の場合、調味料（わさびなどの香辛料、醤油）、天ぷら粉、豆腐、他の魚介類、鍋物に入れる野菜、食用油などが挙げられる。このような関連食材の文字情報を表示部４に表示することで、食材容器１を手にした消費者が、トレー２内の表示部４に気付いて、調理に必要な関連食材の買い忘れを防止できる効果が得られる。
【００２０】
本発明の好適な実施形態において、トレー２内面に積層された熱可塑性樹脂フィルム１０は、トレー基材９から剥離可能に設けられる。熱可塑性樹脂フィルム１０を剥離可能にトレー基材９に積層する方法は、例えば前記特許文献４に開示された方法を用いて実施することができる。
この剥離可能な熱可塑性樹脂フィルム１０として生分解性樹脂フィルムを用いれば、剥離後のフィルムを生ゴミとともに回収し、堆肥化処理などのリサイクルを図ることができ、トレー基材９の回収と合わせて、回収、再利用性の高いものとなる。
【００２１】
本実施形態の食材容器１は、トレー２の側壁部に表示部４を単数又は複数設けた構成としたので、トレー２に食材３を入れた状態であっても、消費者が側壁部８の複数の表示部４を明瞭に目視可能となり、トレー２を含む食材容器１において広告宣伝効果を高めることができる。
また、トレー基材９の内側に熱可塑性樹脂フィルム１０が積層され、この熱可塑性樹脂フィルム１０に表示部４が設けられた構成としたことによって、表示部４は防水性が良好となり、トレー２内に水滴等があっても表示部４が濡れたり、汚れたりせず、明瞭に目視可能なものとなる。
また、熱可塑性樹脂フィルム１０がトレー基材９に対し剥離可能に積層されている構成としたことにより、食材３の利用後、熱可塑性樹脂フィルム１０をトレー基材９から剥離し、食材３と接していないトレー基材９を洗浄せずに回収することができ、資源回収を行う際の利便性が高い。
また、表示部４をトレー２に入れる食材３と関連して使用される関連食材の文字情報を含むものとすることで、その食材３を調理するための関連食材の買い忘れ防止効果を得ることができる。
【００２２】
図３は本発明の食材容器の第２実施形態を示す図であり、この実施形態では、先の実施形態でのトレー２と、このトレー２の開口に取り付けられる合成樹脂製の透明上蓋１１を備えた構成としている。この透明上蓋１１は、ポリスチレン系樹脂、ポリエチレン系樹脂、ポリエチレンテレフタレート系樹脂などの各種透明樹脂材料を用いて作製される。この透明上蓋１１の縁部には、トレー２の開口に着脱可能に取り付けられる弾性係合部を設けることが好ましい。
【００２３】
この実施形態によれば、先の第１実施形態の食材容器とほぼ同様の効果が得られ、さらにトレー２の開口に透明上蓋１１を取り付けた構成としたので、トレー２の開口にラッピングフィルム５を被せた簡易包装の食材容器１と比べて食材３に外力がかかることが少なくなり、食材３のいたみを低下できる。またトレー２の開口に透明上蓋１１を取り付けた構成としたことで、簡易包装の食材容器１と比べて高級感を持たせることができる。さらにトレー２の開口に透明上蓋１１を取り付けた構成としたので、電子レンジ調理などの際に食材容器ごと調理できるなどの利点がある。
【図面の簡単な説明】
【００２４】
【図１】本発明の食材容器の第１実施形態を示す斜視図である。
【図２】同じ食材容器の一部断面視した要部側面図である。
【図３】本発明の食材容器の第１実施形態を示す側面図である。
【符号の説明】
【００２５】
１…食材容器、２…トレー、３…食材、４…表示部、５…ラッピングフィルム、６…ラベル、７…底板部、８…側壁部、９…トレー基材、１０…熱可塑性樹脂フィルム、１１…透明上蓋。
【図１】
2005153918.tif 000003
【図２】
2005153918.tif 000004
【図３】
2005153918.tif 000005